(57)【特許請求の範囲】
【請求項１】
光源と、
前記光源を点灯させるための点灯回路部と、
前記光源を点灯させる光出力の設定値を再現するための点灯モード情報を複数記憶している記憶部と、
前記点灯回路部の出力を制御し、前記光源の光出力を前記記憶部に記憶された設定値に切り替えるための調光制御部と、
前記光源を略連続的に調光操作するための調光操作手段と、
前記記憶部に記憶された光出力の設定値を書き換えるための光出力設定部と、
前記記憶部に記憶されている設定値にて前記光源を点灯させる複数の点灯モードをユーザーが選択、操作できる手段と、
前記調光制御部が、前記点灯回路部の出力を消灯から点灯する際にフェードインして点灯するように見せるための手段と、
を備え、
前記複数の点灯モードのいずれかが、前記調光操作手段によって調整された光出力の設定値に応じて、前記光出力設定部が前記記憶部に記憶されていた光出力の設定値を随時書き換え設定する点灯モードであり、
前記調光制御部が、前記記憶部に記憶されていた光出力の設定値を随時書き換え設定する前記点灯モードにフェードイン点灯している際は、光出力の設定値を書き換えないことを特徴とする照明装置。
【発明の詳細な説明】
【技術分野】
【０００１】
本発明は、例えば住宅の居室等において、床面、机上面などの被照射面への光出力を変更できる照明装置に関する。
【背景技術】
【０００２】
従来より、１つ若しくは複数の光源と、光源を点灯させるための１つ若しくは複数の点灯回路部と、光源を点灯させる光出力の設定値を複数記憶するための記憶部とを備える照明装置が知られている（例えば、特許文献１参照）。
特許文献１は、点灯回路部の出力を制御し、光源の光出力を記憶部に記憶された設定値に切り替えるための調光制御部と、光源を略連続的に調光操作するための調光操作手段と、記憶部に記憶された光出力の設定値を書き換えるための光出力設定部とを備える。
特許文献１は、記憶部に記憶されている設定値にて光源を点灯させる複数の点灯モードを選択する選択操作手段を備える。
特許文献１は、点灯モードとして、調光操作手段によって調整された光出力の設定値に応じて光出力設定部が記憶部に記憶されていた光出力の設定値を随時書き換え設定する点灯モードを備える。
特許文献１は、記憶部に固定の光出力の設定値を記憶設定させておく点灯モードを備える。
【先行技術文献】
【特許文献】
【０００３】
【特許文献１】特開２００２−３５２９６７号公報（図１、請求項１）
【発明の概要】
【発明が解決しようとする課題】
【０００４】
特許文献１は、複数の点灯モードを用い、光出力の設定値をユーザーの好みや使用環境に応じて変更できる。
ところが、特許文献１は、消灯もしくは電源を切ることを一旦行っても、次回点灯時には消灯もしくは電源切り直前の光出力を事前に記憶し、その記憶した光出力で照明を点灯させてしまう。
従って、特許文献１は、ユーザーの思い通りの明るさが得られない。
【０００５】
ところで、突然の点灯時に、ユーザーの目が明るい状態に慣れていない状態が多く、それに伴い、目に負担がかかりやすいことを鑑みて、時間をかけて少しずつ明るくするフェードイン機能で点灯する照明装置が提案されている。
ところが、このような従来の照明装置１００は、図４に示すように、時点Ｔ１０１において、フェードイン最中に消灯もしくは電源を切ることを行った場合、フェード途中の点Ｂの光出力値を制御部が記憶してしまう。
しかし、このような従来の照明装置１００は、ユーザーにより使い勝手が良いと感じていた明るさは、時点Ｔ１００のときの点Ａの光出力である。
従って、このような従来の照明装置１００は、時点Ｔ１０２における次回の点灯時にユーザーが丁度よいと思っていた点Ａの明るさよりも暗い点Ｃの明るさで点灯されてしまう。
加えて、このような従来の照明装置１００は、停電、復電が頻繁に起こった場合においても、消灯、フェードイン、フェードイン動作中に記憶を繰り返す。
従って、このような従来の照明装置１００は、記憶している光出力が暗くなってしまう。
【０００６】
本発明は、前述した課題を解決するためになされたものであり、その目的は、ユーザーの思い通りに使い易くできる照明装置を提供することにある。
【課題を解決するための手段】
【０００７】
本発明に係る照明装置は、光源と、前記光源を点灯させるための点灯回路部と、前記光源を点灯させる光出力の設定値を再現するための点灯モード情報を複数記憶している記憶部と、前記点灯回路部の出力を制御し、前記光源の光出力を前記記憶部に記憶された設定値に切り替えるための調光制御部と、前記光源を略連続的に調光操作するための調光操作手段と、前記記憶部に記憶された光出力の設定値を書き換えるための光出力設定部と、前記記憶部に記憶されている設定値にて前記光源を点灯させる複数の点灯モードをユーザーが選択、操作できる手段と、前記調光制御部が、前記点灯回路部の出力を消灯から点灯する際にフェードインして点灯するように見せるための手段と、を備え、前記複数の点灯モードのいずれかが、前記調光操作手段によって調整された光出力の設定値に応じて、前記光出力設定部が前記記憶部に記憶されていた光出力の設定値を随時書き換え設定する点灯モードであり、前記調光制御部が、前記記憶部に記憶されていた光出力の設定値を随時書き換え設定する前記点灯モードにフェードイン点灯している際は、光出力の設定値を書き換えないことを特徴とする。
【発明の効果】
【０００８】
本発明に係る照明装置によれば、ユーザーの思い通りに使い易くできるという効果を奏する。
【図面の簡単な説明】
【０００９】
【図１】本発明に係る一実施形態の照明装置の基本的ブロック構成図
【図２】本発明に係る一実施形態の照明装置の具体的ブロック構成図図
【図３】本発明に係る一実施形態の照明装置のタイミングチャート
【図４】従来の照明装置のタイミングチャート
【発明を実施するための形態】
【００１０】
以下、本発明に係る一実施形態の照明装置について図面を参照して説明する。
図１に示すように、本発明に係る一実施形態の照明装置１０は、住宅用シーリングタイプの照明器具１１を備える。
照明器具１１は、光源である例えばＬＥＤ１２を備える。
照明器具１１は、商用電源ＡＣの交流電圧を入力フィルタ（図２参照）１３および整流回路（図２参照）１４を経て、制御ＩＣ（図２参照）１５を動かすための電源を生成する電源生成部（図２参照）１６からなる点灯回路部１７を備える。
【００１１】
点灯回路部１７は、整流回路１４から得られた直流電圧を昇圧する昇圧チョッパ（図２参照）１８と、制御ＩＣ１５によりＬＥＤ１２に流れる電流が一定になるように降圧する降圧チョッパ１９とを備える。
点灯回路部１７は、降圧チョッパ１９の出力をフィードバック制御することによりＬＥＤ１２を点灯させる。
【００１２】
照明器具１１は、リモコン装置（図２参照）２０から送信されたリモコン信号を、受光部（図２参照）２１を介して受信する調光制御部２２を備える。
調光制御部２２は、リモコン信号にて送信されてきたユーザーの好みが反映している操作データに応じた調光制御信号または点灯制御信号を発生する。
調光制御部２２から出力される調光制御信号は、点灯回路部１７の制御ＩＣ１５に入力されることにより、点灯回路部１７の出力を変化させて、ＬＥＤ１２の光出力を変化させる。
調光制御部２２は、マイクロコンピュータ（図２参照）２３から構成され、ＬＥＤ１２を点灯させる光出力の設定値を複数記憶する記憶部２４と、記憶部２４に記憶された光出力の設定値を書き換える光出力設定部２５とを備える。
調光制御部２２は、ＬＥＤ１２の光出力が記憶部２４に記憶された設定値となるように点灯回路部１７の出力を変化させる調光制御信号を出力する。
この調光制御信号は、ＰＷＭ出力であり、Ｌｏｗ部とＨｉｇｈ部との割合で光出力値を示す。
照明器具１１は、ユーザーにより点灯モードを任意に選択されるユーザー操作手段２６を備える。
【００１３】
図２に示すように、照明装置１０は、赤外線を信号媒体として照明器具１１を遠隔操作するリモコン信号を発信するリモコン装置２０を備える。
リモコン装置２０は、ユーザーの好みの調光制御や、点灯制御が得られるように操作されるスイッチ手段を備え、このスイッチ手段の操作に応じた操作データをリモコン信号により照明器具１１に送信する。
リモコン装置２０は、器体２７が、片手で持って操作することができる程度の大きさで、かつ偏平な形状に形成されている。
【００１４】
リモコン装置２０は、器体２７の上面に、スイッチ手段としての、ＬＥＤ１２の光出力を略連続的に増加させるために押操作されるアップスイッチ２８と、ＬＥＤ１２の光出力を略連続的に減少させるために押操作されるダウンスイッチ２９とを備える。
リモコン装置２０は、器体２７の上面に、複数の点灯モードを選択できる第１スイッチ３０と、第２スイッチ３１と、第３スイッチ３２と、第４スイッチ３３とを備える。
リモコン装置２０は、器具本体１１の受光部２１に受信されるリモコン信号を送信する赤外線ＬＥＤ３４を備える。
【００１５】
アップスイッチ２８およびダウンスイッチ２９は、ＬＥＤ１２の光出力を調整するための調光操作手段を構成する。
第１スイッチ３０は、ある固定されている光出力の設定値でＬＥＤ１２を点灯させる第１点灯モードの選択操作手段を構成する。
第２スイッチ３１は、随時更新書き換えされる光出力の設定値でＬＥＤ１２を点灯させる第２点灯モードの選択操作手段を構成する。
第４スイッチ３３は、ＬＥＤ１２を全消灯させる消灯スイッチである。
【００１６】
照明器具１１は、調光制御部２２内の記憶部２４に、第１点灯モードに対応した光出力の設定値（例えば光束最大値に対応する値）が固定的に記憶される。
また、記憶部２４には、アップスイッッチ２８やダウンスイッチ２９の操作によって調整された光出力に対応する光出力設定部２５からの光出力の設定値に応じて随時書き換えられる第２点灯モードに対応した光出力の設定値が記憶されている。
【００１７】
そのため、電源遮断（消灯）の前後にて使用状況が変化せず、前回点灯していた光出力が欲しい場合、第２スイッチ３１を操作すればよい。
そして、この場合、リモコン装置２０から操作データを含むリモコン信号が照明器具１１側に送信される。
さらに、受光部２１により受信されたリモコン信号に含まれる操作データに基づいて調光制御部２２が記憶部２４に現在記憶されている第２点灯モードに対応する光出力の設定値を読み出す。
そして、この設定値に対応する調光制御信号を点灯回路部１７に出力してＬＥＤ１２の光出力を前回点灯していた光出力になるように出力を一定時間ごとに一定量ずつ増しながら制御する。
つまり、前回点灯時において電源遮断（消灯）されたときの最後の光出力のレベルがフェードインして再生されることになる。
ただし、このフェードインを行っている最中は、第２点灯モードに対応する光出力の設定値を更新（記憶）しない。
もちろん、この再生された光出力をアップスイッチ２８やダウンスイッチ２９の操作によって変化調整させることができる。
そして、この変化に対応する光出力設定部２５から出力される光出力の設定値により、記憶部２４に記憶する第２点灯モードの光出力の設定値が随時更新される。
さらに、消灯させた後や点灯モードを第１点灯モードに切り替えた後に、アップスイッチ２８やダウンスイッチ２９の操作があっても、設定値が保持される。
【００１８】
第１スイッチ３０を操作して第１点灯モードを選択すると、リモコン装置２０から操作データを含むリモコン信号が照明器具１１側に送信される。
そして、受光部２１により受信されたリモコン信号に含まれる操作データに基づいて、調光制御部２２は、記憶部２４に記憶されている第１点灯モードに対応する光出力の設定値を読み出す。
さらに、調光制御部２２は、この光出力の設定値に対応する調光制御信号を点灯回路部１７に出力してＬＥＤ１２を点灯させる。
つまり、第１スイッチ３０を操作することにより、第１点灯モードにより所定のレベルの光出力でＬＥＤ１２を点灯できる。
この第１点灯モード下でアップスイッチ２８やダウンスイッチ２９が操作された際に光出力を調整することができる。しかし、第１点灯モードに対応する光出力の設定値の記憶内容は更新されない。
【００１９】
図３に示すように、照明装置１０は、時点Ｔ１０において、記憶部２４が点Ａにおける明るさを記憶し、消灯制御出力となる。
次に、時点Ｔ１１において点灯指示があり、調光制御部２２がフェードインを行う。
そして、フェードイン動作中の時点Ｔ１２おいて消灯指示（この消灯指示はユーザーによるものでも、停電発生によるものでも、どちらでもかまわない）がある。
すると、記憶部２４は、現在の点Ｂの出力制御値を記憶せずに、消灯制御出力となる。
そのため、次回点灯指示が時点Ｔ１３において与えられた場合は、記憶部２４に記憶されている出力が、時点Ｔ１０での値になるために、時点Ｔ１０と同じ点Ｃの出力までフェードイン動作することになる。
なお、本実施形態では操作部としてリモコン装置２０を例として挙げているが、光出力を調整する調光操作が可能で、また、点灯モードを選択できる操作部であれば、その伝送方式は特にこだわらない。
【００２０】
以上、説明したように一実施形態の照明装置１０によれば、フェードイン最中にリモコン装置２０によりＬＥＤ１２を全消灯させ消灯指示があった場合に、第２点灯モードに対応する光出力の設定値更新が行わない。
そして、一実施形態の照明装置１０によれば、次回の第２点灯モードへの移行時に、前回使用していた明るさでＬＥＤ１２を点灯させる。
従って、一実施形態の照明装置１０によれば、ユーザーの好みや使用状況により点灯モードを選択することにより、ユーザーの思い通りに使い易くできる。
【００２１】
なお、本発明の照明装置においてＬＥＤ，入力フィルタ，整流回路，制御ＩＣ，電源生成部等は、前述した一実施形態に限定されるものでなく、適宜な変形や改良等が可能である。
【符号の説明】
【００２２】
１０  照明装置
１２  ＬＥＤ（光源）
１７  点灯回路部
２２  調光制御部
２４  記憶部
２５  光出力設定部
２８  アップスイッッチ（調光操作手段）
２９  ダウンスイッチ（調光操作手段）
【図１】
0005821015.tif 000002
【図２】
0005821015.tif 000003
【図３】
0005821015.tif 000004
【図４】
0005821015.tif 000005